(57)【要約】      （修正有）【課題】質のよさと価値を高められること、それに対応のテーマ装飾を利用して、ユニークな記念性と価値という経済的効果を生み出すこともできる履物の装飾キットの組合せ構造を提供する。【解決手段】ソール部１、ストラップ２、ストラップ２の表面に設けられる装飾キット３を備えてなる。装飾キット３は、台座３０、台座３０に嵌められてある装飾物３１、下部の細い針棒３２、それに対応の留め具３３を備えてなる。ストラップ２の上に一個以上の通穴があり、ストラップ２内の通穴に、留め具３３を嵌め込み、外部に露出させないようにするための切り込みが設けられている。装飾キット３は細い針棒３２をそれぞれ、ストラップ２の通穴を通らせたあと、留め具３３で、細い針棒３２を切り込み内に留め、固定させるようにし、鼻緒サンダルの装飾性、見た目のよさを高めるように設けられる。【選択図】図１
0003186477.tif 000002
【実用新案登録請求の範囲】
【請求項１】
ソール部とストラップを備えてなる鼻緒サンダルであり、該ストラップはＹ字型で、Ｙ型の三先端縁がそれぞれ、該ソール部の先端と後端の両側に取り付けられ、該ストラップには一個以上の通穴があり、その中に切り込みが設けられており、
ストラップの上に設けられる装飾キットが備わり、該装飾キットは、台座、該台座に嵌められてある装飾物、下部の細い針棒、それに対応の留め具を備えてなり、該装飾キットは細い針棒で、ストラップの通穴を通り、該留め具で細い針棒を留めたあと、該切り込みの中に固定されるように設けられていることを特徴とする履物の装飾キットの組合せ構造。
【請求項２】
前記装飾物の形状は、どんな幾何形に設けられてもよいことを特徴とする請求項１に記載の履物の装飾キットの組合せ構造。
【請求項３】
前記装飾物は、各種の貴金属または鉱石で設けられることを特徴とする請求項１に記載の履物の装飾キットの組合せ構造。
【請求項４】
前記装飾キットは台座がなく、該装飾物と該細い針棒を一体化した構造に設けられることを特徴とする請求項１に記載の履物の装飾キットの組合せ構造。
【請求項５】
前記装飾キットは台座がなく、該装飾物に留め穴があり、それに対応の留め針は、該切り込みの中に埋設され、ストラップの通穴を通って、該装飾物の該留め穴を塞ぐように固定されていることを特徴とする請求項１に記載の履物の装飾キットの組合せ構造。
【考案の詳細な説明】
【技術分野】
【０００１】
本考案は、履物の装飾キットの組合せ構造に関わり、特に、ストラップに嵌め込まれる各種の装飾品を有するサンダルに関する。
【背景技術】
【０００２】
従来の一般的なスリッパやサンダルは、ソール部とアッパー部を備えてなり、いろいろな足部の大きさに対応するために、各種の番号を付けられ、区別されているが、スリッパやサンダルの基本的な機能と言えば、それを履いて、足の甲部が包み込まれており、すり足歩行も可能ということであり、該ソール部は、尖ったものなどから足の裏を守り、足の運びを助け、いろいろな地面に対応、長時間歩行もできるように設計されている。現代の人々は着こなしや履物などに対して、一般的な基本機能のほかに、更に、工夫を凝らしたデザインや装飾などの変化により、新しく、ユニークさのある特色を求める人が多く、それにより、それぞれの場で、自分ならではのスタイルをアピールして、付加価値を高めようとしている。
【０００３】
一般的に、鼻緒のついた鼻緒サンダルは、人字型のストラップを有するサンダルで、それを履いているとき、人字型のストラップ、足の甲だけを見せていることで、ソール部のところに、例えば、様々な色や模様などを付けたりして、変化を加えて、そのユニークさ、質のよさや特色を生み出すようというようなサンダルも現れているが、それは大抵、ソール部のところに、模様付けや色などのような変化を加えたりするもので、そのようなサンダルを履くと、該ソール部に工夫を凝らして付けられた多様化な模様や色も見えなくなる。
【０００４】
造形や色の変化を求めるため、業者の中で、現在、人字型のストラップに平面または立体的な模様を装飾として加えているところがあるが、ストラップは細長いＹ字型なので、その効果を見せる面積に限りがあり、顕著な特徴として見せることもできず、その表面への粘着や組合せの装飾物を利用することも難しいこと。このように、市場で、変化豊かで、好きなような組合せでなる装飾を利用して、使用者独自のスタイルを見せるところが足りないことに鑑みて、本考案の考案者は、オリジナルな設計を提案して、社会の人々に福をもたらすよう図っている。  
【考案の開示】
【考案が解決しようとする課題】
【０００５】
本考案は、取り付け・取外し可能な嵌め込み式で、履物上の装飾として利用され、一体化または組合せ式の装飾キットの構造と造形設計により、どんな履物の上にも、好きなように自ら組合せて作られたユニークなスタイルやセンスを見せると同時に、履物の価値を高めるための履物の装飾キットの組合せ構造を提供することを目的とする。
【課題を解決するための手段】
【０００６】
上述した目的を達成させるため、本考案は、ソール部とストラップを備えてなる鼻緒サンダルであり、ストラップの表面に設けられる装飾キットが備わり、該装飾キットは、台座、該台座に嵌められてある装飾物、下部の細い針棒、それに対応の留め具を備えてなり、該ストラップの上に、一個以上の通穴があり、該ストラップ内の通穴に切り込みが設けられ、それにより、該装飾キットは、該細い針棒でそれぞれ、通穴を通り、該留め具で、該細い針棒を留め、該切り込み内に埋め込んで、固定させ、外部に露出させないようにし、全体的な装飾、見た目のよさを高めるように設けられており、そのように、異なる造形、模様付きの装飾キットをスピーディで、該ストラップの上に組み入れ、固定させることができることを特徴とする履物の装飾キットの組合せ構造を提供する。
【０００７】
該装飾キットは、どんな幾何形またはテーマ造形に設けられ、各種の貴金属または鉱石を装飾物として利用して、上品なセンスや価値を高めることができることを特徴とする履物の装飾キットの組合せ構造を提供する。  
【０００８】
該装飾キットは、台座無しの一体化した構造で、該装飾物と該細い針棒を一体化したものに設けられることを特徴とする履物の装飾キットの組合せ構造を提供する。
【０００９】
該装飾キットは台座がなく、該装飾物を一留め針で、ストラップの表面に留め、固定されることを特徴とする履物の装飾キットの組合せ構造を提供する。
【図面の簡単な説明】
【００１０】
【図１】本考案の分解イメージ図である。
【図２】本考案の組合イメージ図である。
【図３】本考案の装飾キットの組合せの断面イメージ図である。
【図４】本考案の装飾キットのもう一つの組合せの断面イメージ図である。
【考案を実施するための形態】
【００１１】
図１〜図３に示すのは、本考案の履物の装飾キットの組合せ構造の好適な実施例で、本考案は、鼻緒サンダルと装飾キットの二部分を備えてなり、該鼻緒サンダルは、ソール部（１）とストラップ（２）を備えてなり、該ストラップ（２）はＹ字型（または人字型）のソフトなバンドで、Ｙ型の三先端縁にそれぞれ一結合部（２０）があり、該結合部（２０）はそれぞれ、それに対応する該ソール部（１）の先端の固定端部（１０）及び後端の両側の固定端部（１０）に取り付けるための突部が設けられ、それにより、人は足部が該ソール部（１）と上記ストラップ（２）との間に入り、足の親指と人差し指が該ストラップ（２）を挟んで入り、足の甲、足の裏がそれぞれ、該ソール部（１）、該ストラップ（２）に張り合わせて、歩行することになっており、該ストラップ（２）は、該ソール部（１）の先端の固定端部（１０）から、それぞれ後端の両側の固定端部（１０）へと伸ばされ、Ｙ字型（または人字型）に設けられるようになり、該ストラップ（２）の上に、一個以上の装飾キット（３）が設けられ、該装飾キット（３）は、台座（３０）、その上部に装飾物（３１）が該台座（３０）に嵌め込まれ、該台座（３０）の下部に細い針棒（３２）、そして、該細い針棒（３２）の先端を留めるため、それに対応の留め具（３３）を備えてなり、又、該ストラップ（２）の上に、一個以上の通穴があり、該ストラップ（２）内の通穴に、一個以上の切り込み（２１）が設けられており、それにより、該装飾キット（３）は、細い針棒（３２）で、ストラップ（２）を通して、更に留め具（３３）で、該細い針棒（３２）を該切り込み（２１）内に埋め込んで、固定するように設けられている。  
【００１２】
本実施例では、該装飾キット（３）の該台座（３０）の外観は、どんな幾何形に設けられてもよく、該台座（３０）の上部に嵌め込まれてある装飾物（３１）と留め具（３３）は、どんな幾何形のものでもよく、それに、該装飾物（３１）、留め具（３３）は、各種の貴金属類または鉱石類を使用して、該装飾物（３１）の質の良さと価値を高めることができる。その上、該装飾キット（３）は、無台座なしの一体化したデザインでもよく、該装飾キット（３）は、装飾物（３１）と細い針棒（３２）を一体化したものに設けられるが、実際に、該細い針棒（３２）をそのまま、直接に、該装飾物（３１）の外表面に固定して、特に、小さな該装飾物（３１）、例えば、図１に示すように、真ん中の単一なる装飾キット（３）でも、その目立ったところで人々の目を惹き付けることができる。
【００１３】
図参に示すように、本考案の装飾キット（３）は、スピーディに該ストラップ（２）の外表面に嵌め込まれ、該留め具（３３）で、該ストラップ（２）の対称した内面にある該切り込み（２１）のところに、該細い針棒（３２）を、該切り込み（２１）内に埋め込んで、固定させるようにし、それにより、該装飾キット（３）の台座（３０）を、該ストラップ（２）の外表面に張り合わせるように固定させるが、また、該留め具（３３）が該切り込み（２１）内に埋め込まれ、固定されているから、該装飾キット（３）が足の甲と接触して摩擦したりもせずに歩行でき、それに、該装飾キット（３）はいつでも、自ら該留め具（３３）を取外して、他の模様の装飾キット（３）に変え、他のテーマの造形で使用者独自のスタイルや装飾効果を出すこともでき、鼻緒サンダルを実際に生かして、テーマや記念的価値を高め、ユニークな価値、効果を生み出すことができる。
【００１４】
図４に示すのは、本考案の台座なき装飾キット（３）のもう一つの組合せイメージであり、該装飾物（３１）は、一留め針（３４）でストラップ（２）の表面に留められ、該装飾物（３１）内に一留め穴（３１０）があり、それに対応の一留め針（３４）が該切り込み（２１）内に埋め込まれてあり、該留め針（３４）の一端の細い針棒（３４０）が、該ストラップ（２）の通穴を通って、該装飾物（３１）の該留め穴（３１０）を塞いで留められ、該装飾キット（３）を該ストラップ（２）の上に固定されるようになる。
【００１５】
実際に使用するとき、本考案の装飾キットを単一、または一個以上の組合せで、鼻緒サンダルの該ストラップの外表面を通して、お好きな形状、材料、色、模様、または貴金属または鉱石などを有する装飾物を、好きなように、鼻緒サンダルの上に組み付けることができるが、そうすると、一般の鼻緒サンダルとは著しく異なる装飾スタイルや効果を出せると同時に、使用者独自のスタイルやセンスを顕著に見せることであり、特筆すべきことは、本考案の装飾キットは、簡単に、自らの組み合わせが可能な利便性と安定性を有するもので、取り付け、取外しも簡単、自由に取り替える応用性が高く、鼻緒サンダルの単調な感じを避け、顕著な識別性を有することで、他者と同じ履物を履くことも避けられる。
【符号の説明】
【００１６】
ソール部    （１）
ストラップ  （２）
装飾キット  （３）
固定端部    （１０）
結合部      （２０）
切り込み    （２１）
台座        （３０）
装飾物      （３１）
細い針棒    （３２）
留め具      （３３）
留め針      （３４）
留め穴      （３１０）
細い針棒    （３４０）
【図１】
0003186477.tif 000003
【図２】
0003186477.tif 000004
【図３】
0003186477.tif 000005
【図４】
0003186477.tif 000006